(57)【要約】【課題】様々な使用環境において測定者が装置本体の表示部を見ることなく容易に測定結果を確認することを可能とする測定装置を提供する。【解決手段】装置本体１００と、テストリード２００と、表示装置３００と、テストリード２００のホルダー２０２に着脱可能に固定される固定部４０１及びこの固定部４０１に取り付けられホルダー２０２から離間した位置で表示装置３００の向きが変更可能なように表示装置３００を支持する支持部４０２を備えた取付装置４００と、を有し、装置本体１００は、テストリード２００を介して入力された信号に基づいて測定部１０４によって求められた測定結果に係る情報を、第１の無線通信部１０５を介して送信し、表示装置３００は、第１の無線通信部１０５から送信された情報を第２の無線通信部３０５を介して受信し、表示部３０２に測定結果を表示する構成とする。【選択図】図１
2014010124.tif 000002
【特許請求の範囲】
【請求項１】
測定部と、第１の無線通信部と、を備えた装置本体と、
被測定物に接触させられる接触子と、前記接触子を保持するホルダーと、を備え、ケーブルを介して前記装置本体に接続されるテストリードと、
表示部と、第２の無線通信部と、を備えた表示装置と、
前記ホルダーに着脱可能に固定される固定部と、前記固定部に取り付けられ前記ホルダーから離間した位置で前記表示装置の向きが変更可能なように前記表示装置を支持する支持部と、を備えた取付装置と、
を有し、
前記装置本体は、前記テストリードを介して入力された信号に基づいて前記測定部によって求められた測定結果に係る情報を、前記第１の無線通信部を介して送信し、
前記表示装置は、前記第１の無線通信部から送信された情報を前記第２の無線通信部を介して受信し、前記表示部に前記測定結果を表示することを特徴とする測定装置。
【請求項２】
前記固定部は、前記ホルダーを把持するクリップであることを特徴とする請求項１に記載の測定装置。
【請求項３】
前記支持部は、前記表示部の表示面を略全方位に配向させることができることを特徴とする請求項１又は２に記載の測定装置。
【請求項４】
前記支持部は、ロッド部と、可動ジョイント部とを有する多関節アームであることを特徴とする請求項１〜３のいずれか一項に記載の測定装置。
【請求項５】
前記可動ジョイント部は、略球形のボール部と、前記ボール部を摺動可能に収容し保持するボール保持部と、で構成されることを特徴とする請求項４に記載の測定装置。
【請求項６】
前記支持部は、フレキシブルチューブであることを特徴とする請求項１〜３のいずれか一項に記載の測定装置。
【請求項７】
前記支持部は、前記固定部との連結部及び前記表示装置との連結部のうち少なくとも一方が可動であることを特徴とする請求項１〜６のいずれか一項に記載の測定装置。
【請求項８】
前記表示装置は、前記表示装置の向きに係る情報を検知する検知手段と、前記検知手段の検知結果に基づいて前記表示部における表示内容の向きを指示する指示手段と、を有することを特徴とする請求項１〜７のいずれか一項に記載の測定装置。
【請求項９】
前記検知手段は、重力方向を検知することのできる加速度センサであり、前記指示手段は、正規の向きに見た場合の前記表示内容の上側が、重力方向を前記表示部の表示面に射影した方向の上側、又は該射影した方向と直交する方向よりも該射影した方向の上側に近い方向を向くように、前記表示部における前記表示内容の向きを変えることを特徴とする請求項８に記載の測定装置。
【請求項１０】
前記検知手段は、重力方向を検知することのできる加速度センサであり、前記表示部は、対向する略平行な２辺を有し、前記指示手段は、正規の向きに見た場合の前記表示内容の上側が、前記２辺のうち、前記表示部の表示面に沿って前記表示部の外側に向けて略垂直に伸ばした直線の方向が、重力方向を前記表示部の表示面に射影した方向の上側に近い方向を向いている辺を向くように、前記表示部における前記表示内容の向きを変えることを特徴とする請求項８に記載の測定装置。
【請求項１１】
前記表示装置は、前記表示部の表示面とは反対側を照明するライトを有することを特徴とする請求項１〜１０のいずれか一項に記載の測定装置。
【請求項１２】
前記表示装置は、前記表示部の表示面とは反対側を撮影するカメラを有することを特徴とする請求項１〜１１のいずれか一項に記載の測定装置。
【請求項１３】
前記表示装置は、前記カメラにより撮影された画像を前記表示部に即時的に表示することを特徴とする請求項１２に記載の画像形成装置。
【請求項１４】
前記表示装置は、前記測定結果と、前記カメラにより撮影された画像と、を前記表示部に表示することを特徴とする請求項１２又は１３に記載の測定装置。
【請求項１５】
前記表示装置は、前記カメラにより撮影された画像を拡大して前記表示部に表示することを特徴とする請求項１２〜１４のいずれか一項に記載の測定装置。
【請求項１６】
前記装置本体及び／又は前記表示装置は、前記カメラにより撮影された特定の画像に係る情報を、特定の前記測定結果に係る情報と関係付けて記憶する記憶部を有することを特徴とする請求項１２〜１５のいずれか一項に記載の測定装置。
【発明の詳細な説明】
【技術分野】
【０００１】
テストリードを用いて測定目的（電圧、電流、抵抗、静電容量など）の測定を行うＬＣＲメータ、抵抗計、デジタルマルチメータなどの測定装置に関するものである。
【背景技術】
【０００２】
従来、ＬＣＲメータ、抵抗計、デジタルマルチメータ（Digital Multi Meter：ＤＭＭ）などの測定装置は、測定目的（電圧、電流、抵抗、静電容量など）を測定するために被測定物（被測定電気素子、被測定回路、被測定電気機器など）に接触させられるテストリードが固定的に又は着脱可能に接続されている。
【０００３】
図１８は、従来の測定装置１の一例として絶縁抵抗計の一例を示す（特許文献１など）。この測定装置１は、装置本体１００と、一対のテストリード２００（２００ａ、２００ｂ）と、を有する。装置本体１００は、操作部１０１、表示部１０２、測定部（図示せず）などを有する。この測定装置１では、操作部１０１には、測定スイッチ１１１、電源スイッチとファンクションスイッチとの機能を備えたロータリースイッチ１１２などが設けられている。各テストリード２００ａ、２００ｂは、それぞれ被測定物に接触させられる接触子２０１ａ、２０１ｂ、接触子２０１ａ、２０１ｂを保持する筐体であるホルダー２０２ａ、２０２ｂ、テストリード２００ａ、２００ｂを装置本体１００に連結するケーブル２０３ａ、２０３ｂなどを有する。ケーブル２０３ａ、２０３ｂは、接触子２０１ａ、２０１ｂを装置本体１００の測定部に接続するリード線２０４ａ、２０４ｂを内包する。
【０００４】
図１８に示すような測定装置１では、テストリード２００ａ、２００ｂを被測定物に接触させて測定スイッチ１１１を押すと測定が開始され、測定値が装置本体１００の表示部１０２に表示される。例えば、測定者は、テストリード２００ａ、２００ｂを被測定物に接触させながら、装置本体１００の表示部１０２に表示された測定値を確認する。自動ホールド機能付きの測定装置１の場合は、測定値が安定すると測定値がホールドされる。或いは、測定スイッチを離したり、別途設けられたホールドスイッチを押したりすることで測定値がホールドされるものもある。このように測定値がホールドされる場合は、常にテストリード２００ａ、２００ｂを被測定物に接触させていなくても良いが、測定値の確認のために装置本体１００の表示部１０２を目視する必要がある。
【０００５】
一方、図１９は、従来の測定装置１の他の例として、一方のテストリード２００ａのホルダー２０２ａに装置本体の機能が組み込まれたテスタの一例を示す（特許文献２）。この測定装置１は、一方のテストリード２００ａを構成する装置本体１００と、装置本体１００の基端部１００ｂにケーブル２０３によって連結された他方のテストリード２００ｂと、を有する。装置本体１００の先端部１００ａには、一方のテストリード２００ａを構成する接触子２０１ａが設けられている。この場合、一方のテストリード２００ａのホルダー２０２ａは、装置本体１００の筐体をも構成する。そして、この装置本体１００は、操作部１０１、表示部１０２、測定部（図示せず）などを有する。この測定装置１では、操作部１０１には、電源スイッチとファンクションスイッチとの機能を備えたスライドスイッチ１１５、測定値をホールドするなどの特定の機能を動作させるための特定機能入力キー１１６などが設けられている。又、他方のテストリード２００ｂは、接触子２０１ｂ、ホルダー２０２ｂなどを有する。
【０００６】
図１９に示すような測定装置１では、一方のテストリード２００ａを構成する装置本体１００に表示部１０２が設けられており、被測定物に目線を置きながら、測定値を確認することができる。
【先行技術文献】
【特許文献】
【０００７】
【特許文献１】特開２０００−２１４１９４号公報
【特許文献２】特開２００４−２０３６１号公報
【発明の概要】
【発明が解決しようとする課題】
【０００８】
しかしながら、上記従来の技術には、次のような改善すべき課題がある。
【０００９】
図１８に示すような測定装置１では、被測定物と装置本体１００の表示部１０２との間での目線の移動が多く、時間がかかるため、例えば多数の被測定物を連続して測定する場合などには作業性が低下することがある。又、例えばホールド機能を使用しない場合など、テストリード２００を被測定物に接触させながら装置本体１００の表示部１０２を見る必要があるときには、テストリード２００を被測定物から離してしまったり望まない箇所（絶縁部など）に接触させてしまったりして、被測定物へのテストリード２００の接触が不十分になり、測定結果の信頼性が低下することがある。そのため、例えば、被測定物へテストリード２００を接触させ、その後装置本体の表示部の測定値を確認し、測定値が異常な場合は被測定物とテストリード２００の接触を確認し、その後再度装置本体１００の表示部の測定値を確認するといった動作を繰り返す必要が生じることがある。
【００１０】
一方、図１９に示すような測定装置１では、被測定物のテストリード２００ａを接触させている箇所から大きく視線を外す必要なく、表示部１０２の測定値を確認することができる。しかし、この測定装置１では、表示部１０２の向きが変えられない。そのため、例えば表示部１０２が設けられた側のテストリード２００ａを測定者から比較的離れた箇所に腕を伸ばして接触させる必要がある場合など、使用環境によっては表示部１０２の測定値を確認し難いことがある。又、この測定装置１では、表示部１０２をテストリード２００ａに対して付けたり外したりすることができない。そのため、図１８に示すような測定装置１に使用される既存のテストリード２００の使用者が、必要に応じて利便性を向上するといった用途には用いることができない。
【００１１】
従って、本発明の目的は、様々な使用環境において測定者が装置本体の表示部を見ることなく容易に測定結果を確認することを可能とする測定装置を提供することである。
【課題を解決するための手段】
【００１２】
上記目的は本発明に係る測定装置にて達成される。要約すれば、本発明は、測定部と、第１の無線通信部と、を備えた装置本体と；被測定物に接触させられる接触子と、前記接触子を保持するホルダーと、を備え、ケーブルを介して前記装置本体に接続されるテストリードと；表示部と、第２の無線通信部と、を備えた表示装置と；前記ホルダーに着脱可能に固定される固定部と、前記固定部に取り付けられ前記ホルダーから離間した位置で前記表示装置の向きが変更可能なように前記表示装置を支持する支持部と、を備えた取付装置と；を有し、前記装置本体は、前記テストリードを介して入力された信号に基づいて前記測定部によって求められた測定結果に係る情報を、前記第１の無線通信部を介して送信し、前記表示装置は、前記第１の無線通信部から送信された情報を前記第２の無線通信部を介して受信し、前記表示部に前記測定結果を表示することを特徴とする測定装置である。
【００１３】
本発明の一実施態様によると、前記固定部は、前記ホルダーを把持するクリップである。又、本発明の一実施態様によると、前記支持部は、前記表示部の表示面を略全方位に配向させることができる。そして、一実施態様では、前記支持部は、ロッド部と、可動ジョイント部とを有する多関節アームである。前記可動ジョイント部は、略球形のボール部と、前記ボール部を摺動可能に収容し保持するボール保持部と、で構成されるものであってよい。又、他の実施態様では、前記支持部は、フレキシブルチューブである。又、好ましい一実施態様によると、前記支持部は、前記固定部との連結部及び前記表示装置との連結部のうち少なくとも一方が可動である。
【００１４】
本発明の一実施態様によると、前記表示装置は、前記表示装置の向きに係る情報を検知する検知手段と、前記検知手段の検知結果に基づいて前記表示部における表示内容の向きを指示する指示手段と、を有する。そして、一実施態様では、前記検知手段は、重力方向を検知することのできる加速度センサであり、前記指示手段は、正規の向きに見た場合の前記表示内容の上側が、重力方向を前記表示部の表示面に射影した方向の上側、又は該射影した方向と直交する方向よりも該射影した方向の上側に近い方向を向くように、前記表示部における前記表示内容の向きを変える。又、他の実施態様では、前記検知手段は、重力方向を検知することのできる加速度センサであり、前記表示部は、対向する略平行な２辺を有し、前記指示手段は、正規の向きに見た場合の前記表示内容の上側が、前記２辺のうち、前記表示部の表示面に沿って前記表示部の外側に向けて略垂直に伸ばした直線の方向が、重力方向を前記表示部の表示面に射影した方向の上側に近い方向を向いている辺を向くように、前記表示部における前記表示内容の向きを変える。
【００１５】
本発明の一実施態様によると、前記表示装置は、前記表示部の表示面とは反対側を照明するライトを有する。
【００１６】
又、本発明の一実施態様によると、前記表示装置は、前記表示部の表示面とは反対側を撮影するカメラを有する。そして、一実施態様では、前記表示装置は、前記カメラにより撮影された画像を前記表示部に即時的に表示する。又、他の実施態様では、前記表示装置は、前記測定結果と、前記カメラにより撮影された画像と、を前記表示部に表示する。又、他の実施態様では、前記表示装置は、前記カメラにより撮影された画像を拡大して前記表示部に表示する。又、他の実施態様では、前記装置本体及び／又は前記表示装置は、前記カメラにより撮影された特定の画像に係る情報を、特定の前記測定結果に係る情報と関係付けて記憶する記憶部を有する。
【発明の効果】
【００１７】
本発明によれば、様々な使用環境において測定者が装置本体の表示部を見ることなく容易に測定結果を確認することが可能となる。
【図面の簡単な説明】
【００１８】
【図１】本発明の一実施例に係る測定装置の模式的な外観図である。
【図２】本発明の一実施例に係る測定装置の要部の概略機能ブロック図である。
【図３】本発明の一実施例における表示装置を取付装置でテストリードに取り付ける過程を示す模式的な外観図である。
【図４】本発明の一実施例における取付装置及び表示装置を示す側面図である。
【図５】本発明の一実施例における取付装置及び表示装置を示す側面図である。
【図６】本発明の一実施例における取付装置及び表示装置を示す側面図である。
【図７】本発明の一実施例における取付装置の可動ジョイント部をより詳しく示す斜視図である。
【図８】本発明の一実施例における取付装置の支持部の変形例を示す側面図である。
【図９】本発明の一実施例における取付装置の支持部の変形例を示す側面図である。
【図１０】本発明の一実施例における取付装置の固定部の変形例を示す斜視図である。
【図１１】本発明の一実施例における表示装置における表示の回転を説明するための模式図である。
【図１２】本発明の一実施例における測定装置の動作の概略手順を示すフローチャート図である。
【図１３】本発明の他の実施例に係る測定装置の取付装置及び表示装置を示す側面図である。
【図１４】本発明の他の実施例に係る測定装置の要部の概略機能ブロック図である。
【図１５】本発明の他の実施例における表示装置の表示の一例を示す模式図である。
【図１６】本発明の他の実施例における表示装置の動作の概略手順を示すフローチャート図である。
【図１７】本発明の他の実施例における表示装置の動作の概略手順を示すフローチャート図である。
【図１８】従来の測定装置の一例を示す模式的な外観図である。
【図１９】従来の測定装置の他の例を示す側面図である。
【発明を実施するための形態】
【００１９】
以下、本発明に係る測定装置を図面に則して更に詳しく説明する。
【００２０】
実施例１
１．全体構成
図１は、本発明の一実施例に係る測定装置１の全体構成を示す模式的な外観図である。又、図２は、本実施例の測定装置１の要部の概略機能ブロック図である。本実施例では、測定装置１は、デジタル式の絶縁抵抗計とされる。
【００２１】
測定装置１は、装置本体１００と、一対のテストリード２００（２００ａ、２００ｂ）と、表示装置３００と、取付装置４００と、を有する。本実施例の測定装置１は、一対のテストリード２００（２００ａ、２００ｂ）を用いて装置本体１００で求められた測定結果を、一方のテストリード２００ａに取付装置４００によって着脱可能に装着された表示装置３００において表示することができる。表示装置３００は、取付装置４００によって、その表示部３０２の表示面３２１をほぼ全方位に向きを変えることが可能とされている。又、表示装置３００は、無線通信によって装置本体１００との間での情報のやり取りを行う。以下、更に詳しく説明する。
【００２２】
２．装置本体
装置本体１００は、操作部１０１、本体表示部１０２、制御部１０３、測定部１０４、第１の無線通信部１０５、測定端子１０６などを有する。
【００２３】
操作部１０１には、測定を開始するための測定スイッチ１１１、電源スイッチと測定目的や測定レンジを切り替えるためのファンクションスイッチとの機能を備えたロータリースイッチ１１２、コンパレータ機能を用いる際の基準値を選択するためのコンパレータボタン１１３、本体表示部１０２のバックライトを点灯させるための点灯ボタン１１４などが設けられている。ロータリースイッチ１１２は、その切り換えステージとして、抵抗測定・導通チェック用レンジ〔Ω〕、〔ＯＦＦ〕レンジ、交流電圧測定用の〔ＡＣＶ〕レンジ及び定格測定電圧設定レンジを備えている。本実施例では、定格測定電圧設定レンジは、１２５Ｖ、２５０Ｖ、５００Ｖ、１０００Ｖが選択可能であり、この切り換えに応じて、測定部１０４の測定電圧発生部から１２５Ｖ、２５０Ｖ、５００Ｖ、１０００Ｖのいずれかの電圧が測定対象に印加される。操作部１０１は、各スイッチに割り当てられた機能に応じた信号を制御部１０３に入力する。
【００２４】
本体表示部１０２は、装置本体１００の筐体である本体ケース１０７の一側面に設けられている。本実施例では、本体表示部１０２は、ディジタルディスプレイである液晶ディスプレイで構成される。本実施例では、この液晶ディスプレイとされる本体表示部１０２は、液晶パネルと、液晶パネルを照明するバックライトとを有する。本体表示部１０２は、指定された測定目的に応じて、制御部１０３から入力された信号に従って、測定結果に係る情報を表示する。
【００２５】
制御部１０３は、装置本体１００の各部の動作を統括的に制御する。制御部１０３には、装置本体１００に設けられた操作部１０１、本体表示部１０２、測定部１０４、第１の無線通信部１０５などが接続されている。制御部１０２は、演算制御手段としてのＣＰＵ１３１、記憶手段としての電子的なメモリとされるＲＯＭ１３２、ＲＡＭ１３３などを有して構成される。ＣＰＵ１３１は、ＲＯＭ１３２に格納され、必要に応じてＲＡＭ１３３に読み出されたプログラムに従って、又必要に応じてＲＡＭ１３３に読み込まれて一時的に保存されたデータなどを用いて、装置本体１００の各部を制御する。制御部１０３は、測定部１０４のＡ／Ｄ変換部からの電圧データ及び電流データに基づいて、例えば被測定物の電気抵抗の測定値を算出する。そして、制御部１０３は、測定結果に係る情報として、例えば被測定物の電気抵抗の測定値を本体表示部１０２で表示させるための信号を、本体表示部１０２に出力する。又、制御部１０３は、測定結果に係る情報として、例えば被測定物の電気抵抗の測定値の情報（測定値データ）Ｄｍを、第１の無線通信部１０５から送信させる。このように、装置本体１００は、テストリード２００を介して入力された信号に基づいて測定部１０４によって求められた測定結果に係る情報を、第１の無線通信部１０５を介して送信する。又、制御部１０３は、操作部１０１に表示装置３００を操作するためのスイッチ（図示せず）が設けられ、装置本体１００で表示装置３００を操作できるようになっている場合には、操作部１０１の操作に応じて第１の無線通信部１０５から表示装置３００の各種の制御信号を送信させることができる。
【００２６】
測定部１０４は、被測定物（被測定電気素子、被測定回路、被測定電気機器など）についての所定の測定目的（パラメータ、物理量）を測定する。測定部１０４は、被測定物の測定箇所に対して所定の定格測定電圧を印加する測定電圧発生部と、定格測定電圧印加時に測定対象に流れる電流を検出する電流検出部と、定格測定電圧の印加時に測定電圧発生部が印加する電圧と電流検出部にて検出された電流とをそれぞれ所定のサンプリング間隔（例えば、２回／秒）でディジタルデータに変換するＡ／Ｄ変換部と、を備えている。
【００２７】
第１の無線通信部１０５は、制御部１０３の制御に従い、測定結果に係る情報として、例えば被測定物の電気抵抗の測定値の情報（測定値データ）Ｄｍを送信する。又、上述のように、装置本体１００で表示装置３００を操作できるようになっている場合には、第１の無線通信部１０５は、表示装置３００の各種の制御信号を送信することができる。そして、第１の無線通信部１０５から送信された信号は、後述する表示装置３００の第２の無線通信部３０５によって受信される。本実施例では、本体ケース１０７内に、第１の無線通信部１０５のアンテナが収容されている。尚、第１、第２の無線通信部１０５、３０５は、例えば特定小電力無線の規格に準じて無線通信可能なように構成することができる。その他、ブルートゥース規格、ＩｒＤＡ規格などの利用可能な任意の無線通信規格に準じて無線通信可能なように構成することができる。
【００２８】
装置本体１００には、一対の測定端子１０６（１０６ａ、１０６ｂ）が設けられている。一方の測定端子はライン側測定端子１０６ａであり、一対のテストリード２００（２００ａ、２００ｂ）のうち一方のテストリードであるライン側テストリード２００ａが着脱可能に接続される。他方の測定端子はアース側測定端子１０６ｂであり、一対のテストリード２００（２００ａ、２００ｂ）のうち他方のテストリードであるアース側テストリード２００ｂが着脱可能に接続される。一対のテストリード２００（２００ａ、２００ｂ）は、一対の測定端子１０６ａ、１０６ｂを介して測定部１０４に接続される。
【００２９】
３．テストリード
各テストリード２００ａ、２００ｂは、それぞれ被測定物（その所望の測定箇所或いは接地電位）に接触させられる接触子２０１ａ、２０１ｂ、接触子２０１ａ、２０１ｂを保持する筐体であるホルダー２０２ａ、２０２ｂ、テストリード２００ａ、２００ｂを装置本体１００に連結するケーブル２０３ａ、２０３ｂなどを有する。ケーブル２０３ａ、２０３ｂは、接触子２０１ａ、２０１ｂを装置本体１００の測定部１０４に接続するリード線２０４ａ、２０４ｂを内包する。ケーブル２０３ａ、２０３ｂの端部には、リード線２０４ａ、２０４ｂを測定端子１０６ａ、１０６ｂに接続可能とするプラグ（図示せず）が形成されており、これを装置本体１００に設けられた対応するソケット（図示せず）に着脱可能に取り付けることで、テストリード２００ａ、２００ｂはケーブル２０３ａ、２０３ｂを介して装置本体１００に接続される。
【００３０】
本実施例では、ホルダー２０２ａ、２０２ｂは、絶縁材料としての合成樹脂で略円筒形状に成形され、測定者が手で握るのに適した寸法形状とされている。即ち、ホルダー２０２ａ、２０２ｂは、測定者が測定行う際に握る握り部を構成する。このホルダー２０２ａ、２０２ｂの長手軸線方向の一方の端部である先端部２２１ａ、２２１ｂに設けられた穴から該長手軸線方向に沿って露出するようにして、接触子２０１ａ、２０１ｂがホルダー２０２ａ、２０２ｂによって保持されている。又、このホルダー２０２ａ、２０２ｂの長手軸線方向の他方の端部である基端部２２２ａ、２２２ｂにケーブル２０３ａ、２０３ｂが連設されている。
【００３１】
尚、テストリード２００としては、種々のタイプのものを用いることができる。例えば、アース側テストリード２００ｂとしては、本実施例のような棒状のピン型テストリードの他、周知のはさみ状のワニ口型テストリードなどを用いてもよい。又、ライン側テストリード２００ａとして、装置本体１００の操作部１０１の測定スイッチ１１１と同様の機能を果たす測定スイッチが設けられたものなどを用いてもよい。又、テストリード２００は、装置本体１００に固定的に接続されていてもよい。
【００３２】
４．表示装置
表示装置３００は、表示装置操作部３０１、表示部３０２、表示装置制御部３０３、加速度センサ３０４、第２の無線通信部３０５などを有する。
【００３３】
ここで、図１に示すように、本実施例では、表示装置３００の筐体である表示装置ケース３０６は、正面、背面（裏面）、左右側面、上下側面を有する略平行六面体形状を有する。図１に示す状態における紙面手前側の側面を正面、その反対側の側面を背面、左側の側面を左側面、右側の側面を右側面、上側の側面を上側面、下側の側面を下側面ともいう。正面（又は背面）に対して、左右側面、上下側面はそれぞれ略直交する。表示装置ケース３０６の正面３６１のほぼ全面が、後述する表示部３０２の表示面３２１とされている。この表示装置ケース３０６の正面３６１は一方向に長い略矩形形状であり、その長手方向の一方の端部側の側面である左側面に、表示装置操作部３０１が設けられている。又、正面と背面との間の距離である奥行は、他の面間（左右側面間、上下側面間）の距離より短く、表示装置ケース３０６は薄型とされている。
【００３４】
表示装置操作部３０１には、電源スイッチ、必要に応じて表示装置制御部３０３に各種設定に係る信号を入力する設定スイッチなどが設けられる。表示装置操作部３０１は、各スイッチに割り当てられた機能に応じた信号を表示装置制御部３０３に入力する。上述のように、本実施例では、操作部３０１は、表示装置ケース３０６の左側面（図１中左側の側面）に設けられている。尚、表示装置３００の表示部３０２上にタッチパネルが設けられ、表示部３０２における表示とタッチパネルとで操作部３０１が構成されていてもよい。
【００３５】
表示部３０２は、表示装置ケース３０６の一側面である正面３６１に設けられている。本実施例では、表示部３０２は、ディジタルディスプレイである液晶ディスプレイで構成される。本実施例では、この液晶ディスプレイとされる表示部３０２は、液晶パネルと、液晶パネルを照明するバックライトとを有する。上述のように、本実施例では、表示装置ケース３０６の正面３６１のほぼ全面が、表示部３０２の表示面３２１とされている。表示部３０２は、指定された測定目的に応じて、表示装置制御部３０３から入力された信号に従って、測定結果に係る情報を表示する。詳しくは後述するように、表示装置制御部３０２は、第１、第２の無線通信部１０５、３０５を介して装置本体１００から送られてきた測定結果に係る情報を表示する。このように、表示装置３００は、第１の無線通信部１０５から送信された情報を第２の無線通信部３０５を介して受信し、表示部３０２に測定結果を表示する。尚、本実施例では、表示部３０２は、カラー液晶ディスプレイとされるが、例えば、予め設定された複数の表示要素を選択的に点灯又は消灯させるモノクロ液晶パネルやカウントＬＥＤ表示パネルなどであってもよい。本発明は、表示装置３００の表示部３０２の表示方式を何ら限定するものではない。
【００３６】
表示装置制御部３０３は、表示装置３００の各部の動作を統括的に制御する。表示装置制御部３０３には、表示装置３００に設けられた表示装置操作部３０１、表示部３０２、加速度センサ３０４、第２の無線通信部３０５などが接続されている。表示装置制御部１０２は、演算制御手段としてのＣＰＵ３３１、記憶手段としての電子的なメモリとされるＲＯＭ３３２、ＲＡＭ３３３などを有して構成される。ＣＰＵ３３１は、ＲＯＭ３３２に格納され、必要に応じてＲＡＭ３３３に読み出されたプログラムに従って、又必要に応じてＲＡＭ３３３に読み込まれて一時的に保存されたデータなどを用いて、表示装置３００の各部を制御する。表示装置制御部３０３には、第２の無線通信部３０５が受信した、測定結果に係る情報として、例えば被測定物の電気抵抗の測定値の情報（測定値データ）Ｄｍが入力される。そして、表示装置制御部３０３は、測定結果に係る情報として、例えば被測定物の電気抵抗の測定値を表示部３０２で表示させるための信号を表示部３０２に出力する。又、上述のように、装置本体１００で表示装置３００を操作できるようになっている場合には、表示装置制御部３０３には、第２の無線通信部３０５が受信した、表示装置３００の各種の制御信号が入力され、表示装置制御部３０３はこの制御信号に応じて表示装置３００の各部を制御することができる。
【００３７】
表示装置３００は、表示装置３００の向きに係る情報を検知する検知手段として、重力方向を検知することのできる加速度センサ３０４を有する。加速度センサ３０４としては、例えば、静電容量検出方式、ピエゾ抵抗方式、熱検知方式などが知られている、１軸、２軸又は３軸のＭＥＭＳ（Micro Electro Mechanical System）加速度センサを用いることができる。例えば、アナログ・デバイセズ株式会社製の静電容量検出方式の３軸加速度センサを好適に用いることができる。加速度センサ３０４は、１個である必要はなく、複数個を単独で、或いは組み合わせて使用することもできる。本実施例では、加速度センサ３０４は、上記静電容量検出方式の３軸加速度センサとされ、表示装置ケース３０６の内部に設置された基板（図示せず）に一体に取り付けられている。加速度センサ３０４の作用については後述して更に詳しく説明する。
【００３８】
第２の無線通信部３０５は、第１の無線通信部１０５から送信された、測定結果に係る情報として、例えば被測定物の電気抵抗の測定値の情報（測定値データ）Ｄｍを受信する。又、上述のように、装置本体１００で表示装置３００を操作できるようになっている場合には、第２の無線通信部１０５は、第１の無線通信部１０５から送信された、表示装置３００の各種の制御信号を受信することができる。第２の無線通信部３０５は、受信した信号を表示装置制御部３０３に入力する。本実施例では、表示装置ケース３０６内に、第２の無線通信部３０５のアンテナが収容されている。
【００３９】
５．取付装置
取付装置４００は、一対のテストリード２００（２００ａ、２００ｂ）のうちいずれに取り付けてもよいが、通常、ライン側テストリード２００ａに取り付けることが、表示装置３００の表示部３０２の視認性などの点から好ましい。本実施例では、ライン側テストリード２００ａに取り付けるものとして説明する。
【００４０】
図３は、取付装置４００をテストリード２００ａに取り付ける過程を示す模式的な外観図である。又、図４、図５は、それぞれテストリード２００ａに取り付けられた状態の取付装置４００を、テストリード２００ａの基端部２２２ａ側、先端部２２１ａ側から見た様子を示す側面図である。又、図６は、図４中の左側から見た取付装置４００の側面図である。
【００４１】
取付装置４００は、テストリード２００ａのホルダー２０２ａに着脱可能に固定される固定部４０１と、固定部４０１に取り付けられホルダー２０２ａから離間した位置で表示装置３００の向きが変更可能なように表示装置３００を支持する支持部４０２と、を有する。
【００４２】
本実施例では、固定部４０１は、テストリード２００ａのホルダー２０２ａを把持するクリップ（クランプ）とされる。更に説明すると、固定部４０１は、揺動軸４１１を中心として互いに揺動可能に連結された第１の揺動部４１２と第２の揺動部４１３と、を有する。これら第１、第２の揺動部４１２、４１３は、揺動軸４１１と略直交する方向の一端部である先端部に、互いに当接可能な当接面４１４、４１５が設けられ、同方向の他端部である基端部に、操作者によって互いに近づく方向に移動させられる摘み部４１６、４１７が設けられている。又、固定部４０１には、当接面４１４、４１５が当接する方向に移動するように第１、第２の揺動部４１２、４１３を付勢する付勢手段として、トーションばね４１８が設けられている。本実施例では、当接面４１４、４１５と揺動軸４１１との間の、第１、第２の揺動部４１２、４１３間には、ホルダー２０２ａの長手軸線方向に沿う側面を把持する把持部４１９が形成されている。特に、本実施例では、揺動軸４１１と略直交する断面が略半円形の内周面が第１、第２の揺動部４１２、４１３に形成されている。この略半円形の断面は、当接面４１４、４１５が当接した状態で略円形となる。又、摘み部４１６、４１７を操作して当接面４１４、４１５を離間させると、ホルダー２０２ａがその長手軸線方向と略直交する方向に移動して当接面４１４、４１５の間を通過できるようになっている。これにより、ホルダー２０２ａの先端部２２１ａと基端部２２２ａとの間の中間部２２３ａの適当な位置の側面を、把持部４１９によって適当な圧力で圧迫して、固定部４０１をテストリード２００ａに着脱可能に固定することができる。
【００４３】
本実施例では、支持部４０２は、ロッド部４２１（４２１ａ、４２１ｂ）と、可動ジョイント部４２２（４２２ａ、４２２ｂ、４２２ｃ）とを有する多関節アームとされる。更に説明すると、図５に良く示されるように、固定部４０１側から表示装置３００に向けて、第１の可動ジョイント部４２２ａ、第１のアーム部４２１ａ、第２の可動ジョイント部４２２ｂ、第２のアーム部４２１ｂ、第３の可動ジョイント部４２２ｃが設けられている。図７により詳細に示すように、本実施例では、第１、第２、第３の可動ジョイント部４２２ａ、４２２ｂ、４２２ｃはそれぞれ、略球形のボール部４２３と、このボール部４２３を摺動可能に収容し保持するボール保持部４２４と、で構成される。
【００４４】
特に、本実施例では、第１の可動ジョイント部４２２ａを構成するボール保持部４２４は、固定部４０１の第１の揺動部４１２の一側面４１２ａに固定（一体成型）されている。又、第１のアーム部４２１ａの長手軸線方向において固定部４０１側の端部に第１の可動ジョイント部４２２ａを構成するボール部４２３が固定（一体成型）され、表示装置３００側の端部に第２の可動ジョイント部４２２ｂを構成するボール保持部４２４が固定（一体成型）されている。同様に、第２のアーム部４２１ｂの長手軸線方向において固定部４０１側の端部に第２の可動ジョイント部４２２ｂを構成するボール部４２３が固定（一体成型）され、表示装置３００側の端部に第３の可動ジョイント部４２２ｃを構成するボール保持部４２４が固定（一体成型）されている。そして、第３の可動ジョイント部４２２ｃを構成するボール部４２３は、表示装置ケース３０６の背面３６２に固定（一体成型）されている。本実施例では、第１、第２のアーム部４２１ａ、４２１ｂ、第１、第２、第３の可動ジョイント部４２２ａ、４２２ｂ、４２２ｃ、固定部４０１の少なくとも第１、第２の揺動部４１２、４１３、表示装置３００の少なくとも表示装置ケース３０６は、合成樹脂で形成されている。
【００４５】
図７に示すように、各可動ジョイント部４２２において、ボール保持部４２４は、アーム部４２１（又は固定部４０１）との連結部とは反対側に開口部４２４ａが形成された、略球形の内周面４２４ｄ及び外周面４２４ｅを有する形状とされている。ボール部４２３をボール保持部４２４の開口部４２４ａからボール保持部４２４の内周面４２４ｄ側に押し込むことで、ボール部４２３とボール保持部４２４とは弾発的に係合（スナップフィット）する。ボール部４２３は、ボール保持部４２４に収容された状態でボール保持部４２４に対して相対移動（摺動）することができる。ボール保持部４２４の内周面４２４ｄの形状は、自然状態（弾性変形されていない状態）でボール部４２３の外周面４２３ａの寸法よりも小さくされているため、ボール部４２３の外周面４２３ａとボール保持部４２４の内周面４２４ｄとが摩擦係合して、互いの相対位置を所望の位置で保持することができる。この摩擦係合による保持力は、取付装置４００によって支持された表示装置３００を所定の位置で保持できる程度に強く、当該可動ジョイント部４２２が動くことで操作者が比較的容易に表示装置３００の位置や向きを変更できる程度に弱く設定されている。
【００４６】
又、ボール保持部４２４には、上記開口部４２４ａ側からアーム部４２１（又は固定部４０１）との連結部側に向けて、対向する位置に切り込み４２４ｂ、４２４ｃが形成されている。この切り込み４２４ｂ、４２４ｃは、その内側をアーム部４２１（又は表示装置３００との連結部）が通過又は摺動できるような寸法に形成されている。そのため、ボール部４２３に隣接するアーム部４２１（又は表示装置３００との連結部）の軸線方向Ａ１は、ボール保持部４２４に隣接するアーム部４２１（又は固定部４０１との連結部）の軸線方向Ａ２に対して略直角方向まで偏向させることができる。又、例えば上記軸線方向Ａ１、Ａ２を同一直線上とした状態で、ボール部４２３とボール保持部４２４とは、上記軸線方向Ａ１、Ａ２の周りを回転することができる。そのため、各可動ジョイント部４２２について、上記軸線方向Ａ１上の各位置は、ボール保持部４２４の略中央を通り上記軸線方向Ａ２と略直交する平面よりも当該各位置側において、略半球状に自由に移動させることができる。
【００４７】
従って、上述のような各可動ジョイント部４２２の可動範囲に応じた支持部４０２全体としての可動範囲内で、自由に表示装置３００を移動させることができる。これにより、表示装置３００を、例えば図４、図５に示すようにテストリード２００ａのホルダー２０２ａの長手軸線方向と略直交する平面上を測定者に近い位置から遠い位置に向けて又はその反対に向けて移動させたり、例えば図６に示すようにテストリード２００の長手軸線方向に沿って測定者に近い位置から遠い位置に向けて又はその反対に向けて移動させたりすることができる。又、本実施例では、各可動ジョイント部４２２の可動範囲が上述のような可動範囲とされていることで、支持部４０２は、表示装置３００の表示部３０２の表示面３２１を略全方位に配向させることができる。更に、本実施例では、各可動ジョイント部４２２の可動範囲が上述のような可動範囲とされていることで、第３の可動ジョイント部４２２ｃ（第２のアーム部４２１と表示装置３００との連結部）が配置された各位置において、表示装置３００は、横向き、縦向き、及びその間の向きに自由に回転させることができる。
【００４８】
尚、各アーム部４２１の長さや可動ジョイント部４２２の数は、所望の可動範囲に応じて適宜選択することができる。例えば、図８に示すように、支持部４０２は、固定部４０１に固定された第１の可動ジョイント部４２２ａを構成するボール保持部４２４と、第１の可動ジョイント部４２２ａを構成するボール部４２３と第２の可動ジョイント部４２２ｂを構成するボール保持部４２４とを両端部に備えた１つのアーム部４２１と、表示装置ケース３０６の背面３６２に固定された第２の可動ジョイント部４２２ｂを構成するボール部４２３と、を有する構成としてもよい。又、固定部４０１と支持部４０２との連結部及び／又は支持部４０２と表示装置３００との連結部に可動ジョイント部４２２を設けずに、そこを固定することもできる。但し、表示装置３００の向きの自由度を向上する観点から、支持部４０２は、固定部４０１との連結部及び表示装置３００との連結部のうち少なくとも一方が可動であることが好ましい。該少なくとも一方の連結部は、例えば本実施例における上記可動ジョイント部４２２で構成することができる。又、本実施例では、第２のアーム部４２１ｂが第１のアーム部４２１ａよりも短くされているが、同じ長さであってもよいし、第１のアーム部４２１ａの方が短くされていてもよい。
【００４９】
又、本実施例では、支持部４０２は多関節アームとしたが、これに限定されるものではなく、表示装置３００を所望の可動範囲で移動させてその向きや位置を変更できればよい。例えば、図９に示すように、支持部４０２としてランプの支持部材などとして周知のフレキシブルチューブ（フレキシブルアーム）を用いてもよい。この場合も、支持部４０２は、固定部４０１との連結部及び表示装置３００との連結部のうち少なくとも一方が可動であることが好ましい。但し、フレキシブルチューブは一般に本実施例の多関節アームよりも自由に屈曲（湾曲）させて表示装置３００の向きや位置を変更できるので、上記各連結部がいずれも固定されている場合でも、表示装置３００の向きの自由度は比較的高い。
【００５０】
又、本実施例では、固定部４０１はクリップとしたが、これに限定されるものではなく、表示装置３００を所望の位置に保持できるように支持部４０２をテストリード２００ａに固定できればよい。例えば、図１０に示すように、テストリード２００ａのホルダー２０２ａに弾発的に係合（スナップフィット）する、一部切り欠き環状の合成樹脂による成型品などとされていてもよい。
【００５１】
６．表示の回転
本実施例では、上述のように、表示装置３００の向きを変えることができ、表示装置３００の表示部３０２は、その一辺が重力方向の上側を向いたり、下側を向いたり、或いはその間の方向を向いたりする。しかし、表示装置３００の表示部３０２における表示内容３２２自体は、重力方向に対して所定の向き、或いは該所定の向きに近い向きになっていることが、視認性の観点から好ましい。
【００５２】
そこで、本実施例では、表示装置３００は、前述のように、表示装置３００の向きに係る情報を検知する検知手段としての加速度センサ３０４を有する。又、表示装置３００は、加速度センサ３０４の検知結果に基づいて表示部３０２における表示内容３２２の向きを指示する指示手段を有する。本実施例では、表示装置制御部３０３が指示手段としての機能を有する。
【００５３】
前述のように、本実施例では、加速度センサ３０４は、静電容量検出方式の３軸加速度センサとされ、表示装置ケース３０６の内部に設置された基板に一体に取り付けられている。本実施例では、表示装置ケース３０６の短手方向（上下側面と直交する方向）をＸ軸、長手方向（左右側面と直交する方向）をＹ軸、表示装置ケース３０６の正面３６１（表示面３２１）と直交する方向をＺ軸とする。加速度センサ３０４は、Ｘ軸、Ｙ軸、Ｚ軸の重力方向に対する角度に対応した信号を出力し、表示装置制御部３０３に入力する。表示装置制御部３０３では、重力方向とＸ軸、Ｙ軸、Ｚ軸とのなす角度を算出し、その結果から表示装置３００の向き（姿勢）を判断することができる。
【００５４】
ここで、図１１を参照して、表示部３０２の長手方向の対向する２辺を長辺３０２ａ、３０２ｂとし、この長辺３０２ａ、３０２ｂと直交する短手方向の対向する２辺を短辺３０２ｃ、３０２ｄとする。又、重力方向を表示部３０２の表示面３２１に射影した方向（以下「重力射影方向」ともいう。）を図中矢印Ｇで示す。又、表示面３２１に沿って長辺３０２ａ、３０２ｂ、短辺３０２ｃ、３０２ｄから表示部３０２の外側に向けて略垂直に伸ばした直線の方向をそれぞれ法線方向（図中破線Ｎ）とよぶ。
【００５５】
このとき、表示装置制御部３０３は、加速度センサ３０４の検知結果から、例えば図１１（ａ）、（ｅ）に示すように長辺３０２ａ、３０２ｂの法線方向Ｎのいずれかが重力射影方向Ｇの上側又は上側に近い方向を向いている状態（横向き）であるのか、例えば図１１（ｄ）、（ｆ）に示すように短辺３０２ａ、３０２ｂの法線方向Ｎが重力射影方向の上側又は上側に近い方向を向いている状態（縦向き）であるのかを判断することができる。そして、表示装置制御部３０３は、加速度センサ３０４の検知結果に基づいて、表示部３０２における表示内容３２２の向きを変更するように、表示部３０２に制御信号を出力する。
【００５６】
尚、本実施例では、加速度センサ３０４の検知結果に基づいて、重力加速度が検出できればよいので、表示装置制御部３０３は、表示装置３００に対して瞬間的にある方向にかかる運動加速度は無視するようになっている。
【００５７】
例えば、表示装置制御部３０３は、正規の向きに見た場合の表示内容３２２の上側が、重力射影方向Ｇの上側を向くように表示部３０２における表示内容３２２の向きを変えることができる。この場合、例えば図１１（ａ）に示すように重力射影方向Ｇの上側に位置する長辺３０２ａを向いていた表示内容３２２の上側が、図１１（ｂ）に示すように、表示部３０２の向きが変わるにつれて常に重力射影方向Ｇの上側を向くように向きが変更される。このとき、表示装置制御部３０３は、表示内容３２２が表示部３０２内に収まるように、適宜その大きさを変更することができる。
【００５８】
又、例えば、表示装置制御部３０３は、正規の向きに見た場合の表示内容３２２の上側が、重力射影方向Ｇと直交する方向よりも重力射影方向Ｇの上側に近い方向を向くように、表示部３０２における表示内容３２２の向きを変えることができる。例えば、正規の向きに見た場合の表示内容３２２の上側が、表示部３０２の基準となる対向する２辺（例えば長辺３０２ａ、３０２ｂ）と、この２辺と直交する対向する他の２辺とのうち、その法線方向Ｎがより重力射影方向Ｇの上側に近い方向を向いている辺を向くように、表示部３０２における表示内容３２２の向きを変えることができる。この場合、例えば図１１（ａ）に示すように重力射影方向Ｇの上側に位置する長辺３０２ａを向いていた表示内容３２２の上側は、表示部３０２の向きが変わってもすぐには方向が変更されず、例えば図１１（ｃ）に示すように一方の短辺３０２ｃの法線方向Ｎがより重力射影方向Ｇの上側に近い向き（即ち、重力射影方向Ｇに対し４５度以下）になった際に、その短辺３０２ｃ側を向くように向きが変更される。
【００５９】
又、例えば、表示装置制御部３０３は、正規の向きに見た場合の表示内容３２２の上側が、基準となる対向する２辺（例えば長辺３０２ａ、３０２ｂ）のうち、その法線方向Ｎがより重力射影方向Ｇの上側に近い方向を向いている辺を向くように、表示部３０２おける表示内容３２２の向きを変えることができる（図１１（ａ）、（ｅ））。この場合、図１１（ｄ）、（ｆ）に示す状態から図１１（ａ）に示す状態に近づくように表示部３０２が回転すると、表示内容３２２は図１１（ａ）に示す向きとなり、逆に図１１（ｅ）に示す状態に近づくように表示部３０２が回転すると、表示内容３２２は図１１（ｅ）に示す向きとなる。図１１（ｄ）、（ｆ）の状態における表示内容３２２の向きは、図１１（ａ）、（ｅ）のいずれに示す向きとしてもよい。
【００６０】
尚、表示内容の正規の向きとは、表示内容をそれが示す本来の情報を認識できるように、社会通念上の本来の上側が上側になり、下側が下側になるように表示した場合の向きである。この場合の上下は、厳密な垂直方向のみを意味するものではない。表示内容が文字情報であれば、社会通念上、その構成する文字の上側が上側になり、下側が下側になるように表示した場合の向きである。但し、表示内容は文字情報に限定されるものではなく、測定結果を示すものであれば、指針式メータなどの任意の形態であってよい。又、測定結果と共に、当該測定機能に対応する各種設定情報なども表示するのであれば、通常、その表示も同じ向きに表示されるようにする。
【００６１】
７．動作
図１２は、測定を行う際の測定装置１の動作の概略手順の一例を示す。装置本体１００において、電源がＯＮとされ、所望の測定目的・測定レンジにセットされ、又後述するように表示装置３００の電源がＯＮとされている場合には表示装置３００との無線接続が確立される（Ｓ１０１）。その後、測定スイッチ１１１が押されることで、測定が開始される（Ｓ１０２）。そして、制御部１０３は、測定結果に係る情報を本体表示部１０２に出力して、本体表示部１０２に測定結果を表示させる（Ｓ１０３）。それと共に、制御部１０３は、測定結果に係る情報を第１の無線通信部１０５から送信させる（Ｓ１０４）。その後、測定スイッチ１１１が離されることで、測定が終了（測定値がホールド）される（Ｓ１０５）。その後、装置本体１００の電源がＯＦＦとされる（Ｓ１０６）。
【００６２】
一方、表示装置３００において、電源がＯＮとされ、上述のように装置本体１００の電源がＯＮとされている場合には、装置本体１００との無線接続が確立される（Ｓ２０１）。このとき、測定者は、表示装置３００の向きや位置を、表示部３０２の視認性やテストリード２００ａの操作性などに鑑みて適宜変更することができる。その後、表示装置制御部３０３に第２の無線通信部３０５が受信した測定結果に係る情報が入力される（Ｓ２０２）。そして、表示装置制御部３０３は、測定結果に係る情報を表示部３０２に出力して、表示部３０２に測定結果を表示させる（Ｓ２０３）。このとき、表示装置制御回路３０３は、加速度センサ３０４からの信号に応じて、表示内容３２２の向きや大きさを適宜変更して表示部３０２に表示させることができる。その後、表示装置３００の電源がＯＦＦとされる（Ｓ２０４）。
【００６３】
８．作用効果
以上のように、本実施例によれば、装置本体１００の本体表示部１０２を見なくても、表示装置３００の表示部３０２を見ることで測定値が確認できる。そのため、より確実に被測定物にテストリード２００を接触させながら、測定を行うことができる。そのため、測定結果の信頼性と作業性の向上を図ることができる。又、装置本体１００の本体表示部１０２と測定箇所とでの視線の往復が低減され、測定時間の短縮を図ることができる。又、表示装置３００は、取付装置４００によって既存のテストリード２００にも取り付け可能であり、表示装置３００を様々なテストリード２００に流用することができる。又、使用する環境により、表示装置３００の表示部３０２を測定者の見やすい位置に動かしたり向きを変えたりする（例えば反転させる）ことが可能であり、作業性の向上を図ることができる。
【００６４】
実施例２
次に、本発明に係る測定装置の他の実施例について説明する。本実施例の測定装置の基本的な構成及び動作は、実施例１のものと同じである。従って、実施例１のものと同一又はそれに相当する機能、構成を有する要素には同一符号を付して、詳しい説明は省略する。
【００６５】
図１３は、本実施例における表示装置３００が取付装置４００によって支持されている様子を図５と同様の方向から見た側面図である。又、図１４は、本実施例の測定装置１の要部の概略機能ブロック図である。
【００６６】
本実施例では、表示装置３００は、表示部３０２の表示面３２１とは反対側を照明するライト３０７を有する。ライト３０７は、表示装置ケース３０６の背面３６２に設けられており、表示面３２１と略直交する方向において表示面３２１が向いている方向とは反対方向の所定範囲を照明する。ライト３０７は、好ましくは、取付装置４００によってテストリード２００ａに取り付けられた表示装置３００の位置からテストリード２００ａの接触子２０１ａの位置を十分の明るさで照明できるように構成されている。
【００６７】
ライト３０７の光源としては、例えば、ＬＥＤ、白熱灯などを用いることができる。小型で十分に高輝度のものが入手できることからＬＥＤが好ましい。照射光に指向性を持たせるために、ライト３０７は、光源に加えて遮光手段やレンズなどの光学部品を有していてもよい。
【００６８】
本実施例では、表示装置３００の操作部３０１には、ライト３０７の点灯又は消灯を切り替えるスイッチが設けられている。又、装置本体１００の操作部１０１に同様の機能を有するスイッチを設け、装置本体１００側から操作できるようにしてもよい。
【００６９】
表示装置３００は、その向きや位置を変更できるので、表示部３０２の視認性と共に、ライト３０７による照明方向をも鑑みてその向きや位置を変更することで、暗い測定箇所を適切にライト３０７によって照明することができる。
【００７０】
又、本実施例では、表示装置３００は、表示部３０２の表示面３２１とは反対側を撮影するカメラ３０８を有する。カメラ３０８は、表示装置ケース３０６の背面３６２に設けられており、表示面３２１と略直交する方向において表示面３２１が向いている方向とは反対方向の所定範囲を撮影する。カメラ３０８は、好ましくは、取付装置４００によってテストリード２００ａに取り付けられた表示装置３００の位置からテストリード２００ａの接触子２０１ａの位置を十分の視野で撮影できるように構成されている。
【００７１】
カメラ３０８としては、レンズ、撮像素子としてのＣＣＤやＣＭＯＳ、撮像素子によって得られた信号から画像情報を生成する画像処理回路などを備えた、利用可能な任意の構成のデジタルカメラを使用することができる。カメラ３０８は、焦点合わせを特に必要としないように十分な被写界深度を有するように構成することができるが、焦点合わせが可能なように構成してもよい。
【００７２】
本実施例では、表示装置３００は、カメラ３０８により撮影された画像を表示部３０２にライブビュー表示することができる。即ち、表示装置制御部３０３は、カメラ３０８によって撮影された画像を、即時的に表示部３０２においてビデオ表示させる。ここで、即時的に表示するとは、当業者には容易に理解さるように、カメラ３０８の画像処理回路における信号処理時間や表示部３０２に表示させるための信号処理時間分の遅延がある場合も含む意味である。
【００７３】
又、本実施例では、表示装置３００は、カメラ３０８により撮影された画像を拡大して表示部３０２に表示できるようになっている。ここで、拡大して表示するとは、テストリード２００ａに取り付けられた表示装置３００によってテストリード２００ａの接触子２０１ａの近傍を撮影した場合に、一般的な使用方法に従ってテストリード２００ａを持っている測定者がその接触子２０１ａの近傍を肉眼で見た場合よりも大きく視認できればよい。測定者が適宜拡大率を変更できるように、カメラ３０８にズームイン、ズームアウト機能を持たせてもよい。カメラ３０８は、対象を光学的に拡大して撮影できるようになっていてもよいし、対象を撮影した画像を信号処理することで拡大するようになっていてもよい。
【００７４】
そして、本実施例では、表示装置３００は、図１５に示すように、装置本体１００から送信された測定結果Ｍと、カメラ３０８により撮影された画像Ｉとを、表示部３０２において同時に表示することができる。
【００７５】
又、好ましくは、装置本体１００及び／又は表示装置３００に、カメラ３０８により撮影された特定の画像に係る情報を、特定の測定結果に係る情報と関係付けて記憶する記憶部５００を設けることができる（図１４）。この記憶部５００としては、フラッシュメモリのような不揮発性メモリ、ハードディスクなどの磁気記録媒体などを好適に用いることができる。又、この記憶部５００は、装置本体１００や表示装置３００に対して着脱自在（リムーバブル）な記憶媒体であることが、その後の画像情報や測定結果情報の利用のしやすさから好ましい。但し、これに限定されるものではなく、装置本体１００や表示装置３００に、別途外部機器（パーソナルコンピュータ）などとの間での通信を可能とするインターフェース部（図示せず）を設けて、このインターフェース部を介して記憶部５００の情報を外部機器から読み取ることができるようにしてもよい。
【００７６】
本実施例では、表示装置３００の操作部３０１には、カメラ３０８による撮影の開始又は停止を指示するスイッチ、必要に応じてカメラ３０８の焦点合わせスイッチ、ズームイン・ズームアウトスイッチが設けられている。又、装置本体１００の操作部１０１に同様の機能を有するスイッチを設け、装置本体１００側から操作できるようにしてもよい。
【００７７】
図１６は、表示装置３００のカメラ３０８を用いて測定を行う際の表示装置３００の動作の概略手順の一例を示す。表示装置３００において、電源がＯＮとされ、前述のように装置本体１００の電源がＯＮとされている場合には装置本体１００との無線接続が確立される（Ｓ３０１）。その後、例えば表示装置３００の操作部３０１に設けられたカメラ３０８の撮影開始スイッチが押されることで、カメラ３０８による撮影が開始され、表示部３０２におけるライブビュー表示が開始される（Ｓ３０２）。そして、表示装置制御部３０３に第２の無線通信部３０５が受信した測定結果に係る情報が入力される（Ｓ３０３）。表示装置制御部３０３は、測定結果に係る情報を表示部３０２に出力して、表示部３０２においてライブビュー表示と共に測定結果を表示させる（Ｓ３０４）。このとき、表示装置制御回路３０３は、加速度センサ３０４からの信号に応じて、表示内容３２２（測定結果とライブビュー表示）の向きや大きさを適宜変更して表示部３０２に表示させることができる。その後、表示装置３００の電源がＯＦＦとされる（Ｓ３０５）。
【００７８】
又、図１７は、表示装置３００のカメラ３０８を用いて測定結果と画像とを同時保存する際の表示装置３００の動作の概略手順の一例を示す。図１７中の手順Ｓ４０１〜Ｓ４０４は、図１６中の手順Ｓ３０１〜３０４と同じである。その後、表示装置制御回路３０３は、装置本体１００において測定スイッチ１１１が離されることで測定値がホールドされたり、或いは測定値が安定することで自動的に測定値がホールドされたりしたか否かを判断する（Ｓ４０５）。測定値がホールドされたか否かは、装置本体１００から第１、第２の無線通信部１０５、３０５を介してその旨を示す情報が入力されることで、表示装置制御部３０３が判断できるようになっている。そして、測定値がホールドされていない場合は、測定値の表示の更新が繰り返される。一方、表示装置制御部３０３は、測定値がホールドされたと判断した場合は、その測定値と関係付けて、そのときにカメラ３０８によって撮影された画像を、静止画像情報として記憶部５００に記憶させる（Ｓ４０６）。その後、表示装置３００の電源がＯＦＦとされる（Ｓ４０７）。ここで、表示装置３００の記憶部５００と共に又はこれに代えて装置本体１００の記憶部５００に測定値と画像とを関係付けて記憶させるように構成されている場合には、表示装置制御部３０３は、上記静止画像情報を第２の無線通信部３０５から送信させる。そして、装置本体１００の第１の無線通信部１０５でこの情報を受信して、制御部１０３が装置本体１００の記憶部５００に、上記静止画像情報をホールドされた測定値と関係付けて記憶させることができる。
【００７９】
尚、測定値と関係付けて記憶する画像情報は静止画像情報に限定されるものではなく、例えばホールドされた測定値が得られた時点を含む所定期間（その時点の前又は後の所定期間でもよい）の動画（ビデオ）情報を記憶してもよい。
【００８０】
以上のように、本実施例によれば、暗い環境でも、ライト３０７を点灯させることで、より確実にテストリード２００を被測定物に接触させることが可能になり、測定結果の信頼性と作業性の向上を図ることができる。又、カメラ３０８でテストリード２００の被測定物への接触箇所を映し出すことで、測定箇所の画像と測定値との同時保存が可能であり、測定後でも測定箇所に対する測定値を簡単に確認することができる。又、カメラ３０８によってテストリード２００の被測定物への接触箇所を拡大して映すことで、例えば小さい電気部品などの被測定物へのテストリード２００の接触をより確実にして、測定結果の信頼性と作業性の向上を図ることができる。
【００８１】
尚、本実施例では、表示装置３００は、ライト３０７とカメラ３０８との両方を有している。これにより、ライト３０７で照明しつつカメラ３０８で撮影することで、暗い環境における作用性と測定結果の信頼性は飛躍的に向上する。但し、ライト３０７とカメラ３０８は、これらのいずれか一方のみを有していてもよい。この場合、ライト３０７、カメラ３０８のそれぞれに対応した上記同様の効果を得ることができる。
【００８２】
その他
尚、上述の実施例では、測定器は絶縁抵抗計であるものとして説明したが、本発明はこれに限定されるものではない。例えば、測定器はＬＣＲメータ、デジタルマルチメータ、テスタなどであってもよく、測定目的は電流、電圧、静電容量などであってもよい。又、装置本体はアナログ式のテスタや絶縁抵抗計であってもよく、測定結果をＡ／Ｄ変換したデータを表示装置に送信することで上述の実施例と同様の効果が得られる。
【００８３】
又、上述の実施例では、測定結果は測定値であるものとして説明したが、例えばコンパレータ機能を有する測定装置の場合、測定結果は測定値と基準値との比較による判定結果（測定値が上限値を超える値であるか否か、下限値未満であるか否か、下限値以上且つ上限値以下であるか否かなど）であってもよい。
【符号の説明】
【００８４】
１          測定装置
１００      装置本体
１０５      第１の無線通信部
２００      テストリード
２０２      ホルダー
３００      表示装置
３０２      表示部
３０５      第２の無線通信部
４００      取付装置
４０１      固定部
４０２      支持部
【図１】
2014010124.tif 000003
【図２】
2014010124.tif 000004
【図３】
2014010124.tif 000005
【図４】
2014010124.tif 000006
【図５】
2014010124.tif 000007
【図６】
2014010124.tif 000008
【図７】
2014010124.tif 000009
【図８】
2014010124.tif 000010
【図９】
2014010124.tif 000011
【図１０】
2014010124.tif 000012
【図１１】
2014010124.tif 000013
【図１２】
2014010124.tif 000014
【図１３】
2014010124.tif 000015
【図１４】
2014010124.tif 000016
【図１５】
2014010124.tif 000017
【図１６】
2014010124.tif 000018
【図１７】
2014010124.tif 000019
【図１８】
2014010124.tif 000020
【図１９】
2014010124.tif 000021